(57)【要約】【課題】棚タグモールが自身が配設される商品陳列棚の直下の商品陳列棚に陳列される商品と干渉することを抑制すること。【解決手段】上面が商品を載置するための載置面を構成し、かつ前端部分に上方に向けて延在する上延部２１１が形成された棚板２１と、上延部２１１の上端部分に係止されることで棚板２１の前端側に配設される棚タグモール２４とを備えた商品陳列棚２０が、前面が開口した商品陳列室２の内部に上下方向に沿って複数段設けられたショーケースであって、商品陳列棚２０は、上延部２１１の延在長さを拡大させることで、棚板２１に対する棚タグモール２４の下方への突出長さよりも上延部２１１の延在長さを相対的に大きくしている。【選択図】図３
2015165841.tif 000002
【特許請求の範囲】
【請求項１】
上面が商品を載置するための載置面を構成し、かつ前端部分に上方に向けて延在する上延部が形成された棚板と、
前記上延部の上端部分に係止されることで前記棚板の前端側に配設される棚タグモールと
を備えた商品陳列棚が、前面が開口した商品陳列室の内部に上下方向に沿って複数段設けられたショーケースであって、
前記商品陳列棚は、前記上延部の延在長さを拡大させることで、前記棚板に対する前記棚タグモールの下方への突出長さよりも該上延部の延在長さを相対的に大きくしたことを特徴とするショーケース。
【請求項２】
前記棚板は、前後方向に沿ってスライド移動可能であることを特徴とする請求項１に記載のショーケース。
【発明の詳細な説明】
【技術分野】
【０００１】
本発明は、ショーケースに関し、より詳細には、例えばオープンショーケース等のように、前面が開口した商品陳列室に陳列させた商品を所望の温度状態に保持するようにしたショーケースに関するものである。
【背景技術】
【０００２】
従来、前面に開口が形成されたケース本体の商品陳列室の内部に商品陳列棚が上下方向に沿って複数段設けられ、各商品陳列棚に商品が陳列されたオープンショーケースと称されるショーケースが知られている。
【０００３】
このようなショーケースでは、ケース本体内であって商品陳列室外となる個所に、商品陳列室に設けられた吸込口を通じて吸い込んだ商品陳列室の内部空気の通路が形成されており、この空気通路には蒸発器が配設されている。該空気通路を通過する空気は、蒸発器で冷却され、その後に商品陳列室の上部に設けられた吹出口より吹き出される。吹出口から吹き出された空気が吸込口に吸い込まれて循環することにより、商品陳列室の前面開口近傍に冷気のエアカーテンが形成され、商品陳列棚に陳列された商品が所望の温度に冷却されて保持される。
【０００４】
また、上記ショーケースにおける商品陳列棚は、上面が商品を載置するための載置面を構成する棚板と、この棚板の前端側に配設される棚タグモールとを備えて構成されている（例えば、特許文献１参照）。
【先行技術文献】
【特許文献】
【０００５】
【特許文献１】特開２００８−２６４３９９号公報
【発明の概要】
【発明が解決しようとする課題】
【０００６】
ところで、商品陳列棚を構成する棚タグモールは、各商品陳列棚に陳列する商品の価格や内容を表示するための表示板としての役目を果たすものである。このような棚タグモールは、上記特許文献１には明示されていないが、自身の係止部が棚板の前端部の上端部分に係止されることで吊り下げた状態で配設されているのが一般的である。
【０００７】
そのため、棚タグモールは、棚板に対して下方に突出した状態で配設されており、これにより、当該商品陳列棚の直下の商品陳列棚が前方に引き出される場合に、該商品陳列棚に陳列された商品が棚タグモールに干渉してしまう虞れがあった。
【０００８】
本発明は、上記実情に鑑みて、棚タグモールが自身が配設される商品陳列棚の直下の商品陳列棚に陳列される商品と干渉することを抑制することができるショーケースを提供することを目的とする。
【課題を解決するための手段】
【０００９】
上記目的を達成するために、本発明に係るショーケースは、上面が商品を載置するための載置面を構成し、かつ前端部分に上方に向けて延在する上延部が形成された棚板と、前記上延部の上端部分に係止されることで前記棚板の前端側に配設される棚タグモールとを備えた商品陳列棚が、前面が開口した商品陳列室の内部に上下方向に沿って複数段設けられたショーケースであって、前記商品陳列棚は、前記上延部の延在長さを拡大させることで、前記棚板に対する前記棚タグモールの下方への突出長さよりも該上延部の延在長さを相対的に大きくしたことを特徴とする。
【００１０】
また本発明は、上記ショーケースにおいて、前記棚板は、前後方向に沿ってスライド移動可能であることを特徴とする。
【発明の効果】
【００１１】
本発明によれば、商品陳列棚は、上延部の延在長さを拡大させることで、棚板に対する棚タグモールの下方への突出長さよりも上延部の延在長さを相対的に大きくしてあるので、当該商品陳列棚の直下の商品陳列棚に陳列された商品が該棚タグモールに衝突する虞れがない。このように商品と棚タグモールとが衝突する虞れがないので、上記ショーケースによれば、棚タグモールが自身が配設される商品陳列棚の直下の商品陳列棚に陳列される商品と干渉することを抑制することができるという効果を奏する。
【図面の簡単な説明】
【００１２】
【図１】図１は、本発明の実施の形態であるショーケースの内部構造を側方から見た場合を示す断面側面図である。
【図２】図２は、図１に示した商品陳列棚を示す斜視図であり、図２の（ａ）は収納姿勢を示しており、図２の（ｂ）は補充姿勢を示している。
【図３】図３は、図１に示した商品陳列棚の前端部分の要部を示す断面側面図である。
【発明を実施するための形態】
【００１３】
以下に添付図面を参照して、本発明に係るショーケースの好適な実施の形態について詳細に説明する。
【００１４】
図１は、本発明の実施の形態であるショーケースの内部構造を側方から見た場合を示す断面側面図である。ここで例示するショーケースは、ケース本体１を備えている。
【００１５】
ケース本体１は、前面に開口（以下、前面開口ともいう）１ａが形成された略直方状の断熱筐体であり、その内部には商品陳列室２が画成されているとともに、空気循環手段３が設けてある。
【００１６】
商品陳列室２は、上記前面開口１ａを臨む態様で画成された室であり、複数（図示の例では５つ）の商品陳列棚２０が上下方向に沿って複数段並べて配設してある。これら商品陳列棚２０の構成については後述する。かかる商品陳列室２にはデッキパン３０が配設してある。このデッキパン３０は、商品陳列室２の底部を構成するものである。
【００１７】
空気循環手段３は、空気通路４と循環ファンＦとを備えて構成してある。空気通路４は、吸込口５から吹出口６に至る空気の通路である。ここに吸込口５は、商品陳列室２の内部の空気を吸い込むための開口であり、商品陳列室２の左右方向に沿って延設された長尺状のものである。この吸込口５は、商品陳列室２の下側前方縁部、すなわちケース本体１の前面開口１ａ近傍の下部に配設されている。
【００１８】
吹出口６は、図示の例では２つ設けてあり、商品陳列室２の内部に空気を吹き出すための開口である。これら吹出口６は、それぞれが商品陳列室２の左右方向に延設してあって、商品陳列室２の上側前方縁部、すなわちケース本体１の前面開口１ａ近傍の上部に前後に並設してある。
【００１９】
このような空気通路４は、商品陳列室２の外部であってその下方にある下側ダクト４ａと、商品陳列室２の外部であってその背面側にある背面側ダクト４ｂと、商品陳列室２の外部であってその上方にある上側ダクト４ｃとを互いに連通した態様で構成してある。
【００２０】
循環ファンＦは、空気を循環させるものであり、下側ダクト４ａの所定部位に配設してある。本実施の形態においては、循環ファンＦは下側ダクト４ａの所定部位に配設してあるが、本発明では、循環ファンＦの配設位置は特に限定されるものではなく、後述する循環ファンの機能を発揮することができる個所であればどこに配設しても構わない。
【００２１】
このような空気循環手段３においては、循環ファンＦが駆動することにより吸込口５を通じて商品陳列室２の内部にある空気（内部空気）を吸い込み、吸い込んだ空気が空気通路４を通過する態様で吹出口６まで送出し、吹出口６を通じて送出した空気を商品陳列室２の内部に吹き出すことにより、商品陳列室２の内部と外部との間で空気を循環させて、商品陳列室２の前面開口１ａ近傍にエアカーテンを形成するものである。
【００２２】
上記空気通路４の背面側ダクト４ｂには、蒸発器（温度調整手段）７が設けてある。蒸発器７は、図示せぬ圧縮機や凝縮器及び膨張機構と冷媒管路で接続されて冷媒を循環させる冷凍サイクルを構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２３】
蒸発器７は、循環ファンＦが駆動することにより背面側ダクト４ｂを下方から上方に向けて通過する空気と、膨張機構で断熱膨張させた冷媒とを熱交換させるもの、より詳細には、冷媒を蒸発させることにより背面側ダクト４ｂを通過する空気を冷却するものである。この蒸発器７で蒸発した冷媒は、再び圧縮機に戻り圧縮されることになる。
【００２４】
上記商品陳列棚２０は、例えば鋼板等を適宜屈曲させて形成した平板状を成す棚板２１を有している。棚板２１は、上面が収納対象となる商品を載置する載置面を構成している。このような棚板２１は、ケース本体１の商品陳列室２の背面を構成する図示せぬ支柱に支持された左右一対のブラケット２２にレール部材２３を介して設けてある。そして、棚板２１は、自身に設けられた図示せぬローラ部材がレール部材２３を転動することで、図２に示すように前後方向に沿ってスライド移動可能なものである。
【００２５】
このような棚板２１を有する商品陳列棚２０は、商品を陳列させる場合には、図２の（ａ）に示すように、棚板２１を背面側に移動させて収納姿勢となる一方、商品の補充を行う場合には、図２の（ｂ）に示すように、棚板２１を前方に移動させて補充姿勢となるものである。
【００２６】
上記棚板２１は、上延部２１１を有している。上延部２１１は、棚板２１の前端部分を上方に向けて屈曲させて延在する部位である。この上延部２１１には、図３に示すように棚タグモール２４が配設してある。
【００２７】
棚タグモール２４は、棚板２１とともに商品陳列棚２０を構成するもので、自身が含まれる商品陳列棚２０に陳列する商品の価格や内容を表示するための表示板としての役目を果たすものである。この棚タグモール２４は、例えば透光性の樹脂材等から形成されるものである。
【００２８】
かかる棚タグモール２４は、左右方向が長手方向となる長尺状のものであり、基部２４ａと、係止部２４ｂと、支持部２４ｃとを一体的に備えて構成してある。基部２４ａは、上延部２１１に配設される場合に上延部２１１の前面を覆うことが可能な部位である。係止部２４ｂは、基部２４ａの上端縁部より後方に向けて延在した後に可能に向けて延在し、その延在端部が基部２４ａの後面に当接可能な部位である。支持部２４ｃは、基部２４ａの下端縁部より湾曲して上方に向けて延在した後に前方に向けて屈曲した形態をなし、一部が基部２４ａの前面に当接可能な部位である。
【００２９】
このような棚タグモール２４は、基部２４ａと係止部２４ｂとの間に上延部２１１の上端部分を相対的に進入させて、棚タグモール２４自身の弾性復元力により基部２４ａと係止部２４ｂとで進入した上端部分を挟み込むようにすることで上延部２１１の上端部分に係止されて、棚板２１の前端部に配設してある。また、棚タグモール２４は、基部２４ａと支持部２４ｃとの間に所定の情報が示されたシート状部材２５を相対的に進入させて、棚タグモール２４自身の弾性復元力により基部２４ａと支持部２４ｃとで進入したシート状部材２５を挟み込むようにすることで該シート状部材２５を支持している。
【００３０】
このような棚タグモール２４が前端部に配設された棚板２１は、上延部２１１の延在長さを従来よりも拡大させており、これにより棚板２１に対する棚タグモール２４の下方への突出長さＬ２よりも該上延部２１１の延在長さＬ１を相対的に大きくしてある。
【００３１】
また、棚板２１は、自身を形成する鋼板の厚みを大きくすることで、棚板２１の厚みが大きくしてあり、これにより側板２１２の厚みも大きくなるよう設定してある。
【００３２】
以上のような構成を有するショーケースにおいては、商品陳列棚２０の上延部２１１の延在長さを拡大させることで、棚板２１に対する棚タグモール２４の下方への突出長さＬ２よりも該上延部２１１の延在長さＬ１を相対的に大きくしてあるので、当該商品陳列棚２０の直下の商品陳列棚２０を構成する棚板２１を前方に向けて引き出す際に、該棚板２１に載置された商品が該棚タグモール２４に衝突する虞れがない。このように商品と棚タグモール２４とが衝突する虞れがないので、上記ショーケースによれば、棚タグモール２４が自身が配設される商品陳列棚２０の直下の商品陳列棚２０に陳列される商品と干渉することを抑制することができる。
【００３３】
また、上記ショーケースによれば、鋼板の厚みを大きくすることで棚板２１自身の厚みが大きくしてあるので、従来のような棚板を補強する部材等を必要としなくても強度を向上させることができる。その結果、商品陳列棚２０全体の薄型化を図ることができる。
【００３４】
以上、本発明の好適な実施の形態について説明したが、本発明はこれに限定されるものではなく、種々の変更を行うことができる。
【００３５】
上述した実施の形態では、商品陳列棚２０は、棚板２１が前後方向に沿ってスライド移動可能なものであったが、本発明においては、商品陳列棚の棚板はスライド移動しないものであってもよい。
【符号の説明】
【００３６】
１  ケース本体
１ａ  前面開口
２  商品陳列室
３  空気循環手段
５  吸込口
６  吹出口
２０  商品陳列棚
２１  棚板
２１１  上延部
２１２  側板
２２  ブラケット
２３  レール部材
２４  棚タグモール
２４ａ  基部
２４ｂ  係止部
２４ｃ  支持部
２５  シート状部材
【図１】
2015165841.tif 000003
【図２】
2015165841.tif 000004
【図３】
2015165841.tif 000005